(57)【要約】【課題】本発明は、写真の貼付された地図（写真付き地図）の汎用性を高めること。  【解決手段】本発明の情報処理方法は、撮影画像を貼付写真として地図上へ貼付する貼付手順（Ｓ１３１、１３２、１３３）と、貼付後の前記地図である写真付き地図の画像データを１枚の画像の画像ファイルとして記憶媒体へ保存する保存手順（Ｓ１３７）と、前記写真付き地図の編集に必要な情報を付帯情報として前記画像ファイルへ付加する制御手順と（Ｓ１３７）を含む。【選択図】    図３
2014023098.tif 000002
【特許請求の範囲】
【請求項１】
撮影画像を貼付写真として地図上へ貼付する貼付手段と、
貼付後の前記地図である写真付き地図の画像データを１枚の画像の画像ファイルとして記憶媒体へ保存する保存手段と、
前記写真付き地図の編集に必要な情報を付帯情報として前記画像ファイルへ付加する制御手段と、
を備えたことを特徴とする情報処理装置。
【請求項２】
請求項１に記載の情報処理装置において、
前記付帯情報には、
貼付前の前記地図である背景地図のうち、少なくとも前記貼付写真の貼付先に対応するエリアの画像データが含まれる
ことを特徴とする情報処理装置。
【請求項３】
請求項２に記載の情報処理装置において、
前記付帯情報には、
前記背景地図の全域の画像データが含まれる
ことを特徴とする情報処理装置。
【請求項４】
請求項２又は請求項３に記載の情報処理装置において、
前記付帯情報には、
前記写真付き地図における前記貼付写真の貼付先座標の情報が含まれる
ことを特徴とする情報処理装置。
【請求項５】
請求項１〜請求項４の何れか一項に記載の情報処理装置において、
前記付帯情報には、
前記貼付写真のオリジナル画像ファイル名情報が含まれる
ことを特徴とする情報処理装置。
【請求項６】
請求項１〜請求項５の何れか一項に記載の情報処理装置において、
前記付帯情報には、
前記貼付写真の撮影日時情報が含まれる
ことを特徴とする情報処理装置。
【請求項７】
請求項１〜請求項６の何れか一項に記載の情報処理装置において、
前記貼付手段は、
前記写真付き地図における前記貼付写真の貼付先を、前記貼付写真の撮影場所に応じて自動調整する
ことを特徴とする情報処理装置。
【請求項８】
請求項１〜請求項７の何れか一項に記載の情報処理装置において、
前記貼付手段は、
前記写真付き地図における前記貼付写真の貼付サイズを、前記写真付き地図に貼付すべき前記貼付写真の枚数に応じて自動調整する
ことを特徴とする情報処理装置。
【請求項９】
請求項１〜請求項８の何れか一項に記載の情報処理装置において、
前記情報処理装置をネットワークへ接続する接続手段を備え、
前記貼付手段は、
貼付前の前記地図である背景地図を前記ネットワークから取り込む
ことを特徴とする情報処理装置。
【請求項１０】
請求項９に記載の情報処理装置において、
前記背景地図のエリアを包含した広域地図を記憶する記憶手段を備え、
前記貼付手段は、
前記情報処理装置がネットワークへ接続できない期間には、前記ネットワークから取り込んだ詳細地図の代わりに、前記広域地図から作成された簡易地図を、前記背景地図として使用する
ことを特徴とする情報処理装置。
【請求項１１】
請求項１〜請求項１０の何れか一項に記載の情報処理装置において、
前記情報処理装置をネットワークへ接続する接続手段を備え、
前記制御手段は、
前記ネットワークから前記貼付写真の撮影場所に関連するキーワードを取り込み、そのキーワードを前記付帯情報の１つとして前記画像ファイルへ付加する
ことを特徴とする情報処理装置。
【請求項１２】
請求項１〜請求項１１の何れか一項に記載の情報処理装置が保存した前記画像ファイルを前記記憶媒体から読み込む読込手段と、
前記画像ファイルの前記画像データ及び前記付帯情報に基づき、前記写真付き地図を編集する編集手段と、
前記編集の結果に応じて前記画像ファイルの前記画像データ及び前記付帯情報を更新する更新手段と、
を備えたことを特徴とする情報処理装置。
【請求項１３】
請求項１２に記載の情報処理装置において、
前記編集手段は、
前記写真付き地図における前記貼付写真の貼付先を変更する
ことを特徴とする情報処理装置。
【請求項１４】
請求項１２又は請求項１３の何れか一項に記載の情報処理装置において、
前記編集手段は、
前記写真付き地図の背景である背景地図を変更する
ことを特徴とする情報処理装置。
【請求項１５】
請求項１２〜請求項１４の何れか一項に記載の情報処理装置において、
前記編集手段は、
前記写真付き地図に対して撮影画像を追加貼付する
ことを特徴とする情報処理装置。
【請求項１６】
請求項１５に記載の情報処理装置において、
前記編集手段は、
前記写真付き地図上の貼付写真と撮影日時の近い撮影画像を、前記写真付き地図へ追加貼付する
ことを特徴とする情報処理装置。
【請求項１７】
請求項１５又は請求項１６に記載の情報処理装置において、
前記編集手段は、
前記写真付き地図の背景である背景地図のエリアと同じエリアで撮影された撮影写真を、前記写真付き地図へ追加貼付する
ことを特徴とする情報処理装置。
【請求項１８】
請求項１０に記載の情報処理装置が保存した前記画像ファイルを前記記憶媒体から読み込む読込手段と、
前記画像ファイルの前記画像データ及び前記付帯情報に基づき、前記写真付き地図を編集する編集手段と、
前記編集の結果に応じて前記画像ファイルの前記画像データ及び前記付帯情報を更新する更新手段と
を備えた情報処理装置であって、
前記情報処理装置をネットワークへ接続する接続手段を備え、
前記編集手段は、
前記写真付き地図の背景である背景地図が前記簡易地図であった場合には、その簡易地図を、前記ネットワークから取り込んだ詳細地図へと置換する
ことを特徴とする情報処理装置。
【請求項１９】
被写界を撮像して前記撮影画像を取得する撮像手段と、
請求項１〜請求項１８の何れか一項に記載の情報処理装置と
を備えたことを特徴とする撮像装置。
【請求項２０】
撮影画像を貼付写真として地図上へ貼付する貼付手順と、
貼付後の前記地図である写真付き地図の画像データを１枚の画像の画像ファイルとして記憶媒体へ保存する保存手順と、
前記写真付き地図の編集に必要な情報を付帯情報として前記画像ファイルへ付加する制御手順と、
をコンピュータに実行させることを特徴とする情報処理プログラム。
【請求項２１】
撮影画像を貼付写真として地図上へ貼付する貼付手順と、
貼付後の前記地図である写真付き地図の画像データを１枚の画像の画像ファイルとして記憶媒体へ保存する保存手順と、
前記写真付き地図の編集に必要な情報を付帯情報として前記画像ファイルへ付加する制御手順と
を含むことを特徴とする情報処理方法。
【発明の詳細な説明】
【技術分野】
【０００１】
本発明は、地図の作成機能を搭載した情報処理装置、情報処理プログラム、及び情報処理方法に関する。
【背景技術】
【０００２】
近年、デジタルカメラを含む多くの携帯端末にＧＰＳ機能が搭載されるようになった（特許文献１等を参照。）。それらの携帯端末の中には、撮影画像（写真）を地図上に貼付する機能を有するものもある。また、同様の機能をインターネット上のサービスとして提供するサーバも一般的となりつつある。
【先行技術文献】
【特許文献】
【０００３】
【特許文献１】特開２００１−２６６１６９号公報
【発明の概要】
【発明が解決しようとする課題】
【０００４】
しかしながら、地図上に写真を貼付するこれらの機能は、単独のユーザが所定の端末で利用することしか想定されていない。
【０００５】
そこで本発明は、写真の貼付された地図（写真付き地図）の汎用性を高めることのできる情報処理装置、撮像装置、情報処理プログラム、情報処理方法を提供する。
【課題を解決するための手段】
【０００６】
本発明の情報処理装置は、撮影画像を貼付写真として地図上へ貼付する貼付手段と、貼付後の前記地図である写真付き地図の画像データを１枚の画像の画像ファイルとして記憶媒体へ保存する保存手段と、前記写真付き地図の編集に必要な情報を付帯情報として前記画像ファイルへ付加する制御手段と、を備える。
【０００７】
本発明の別の情報処理装置は、本発明の情報処理装置が保存した前記画像ファイルを前記記憶媒体から読み込む読込手段と、前記画像ファイルの前記画像データ及び前記付帯情報に基づき、前記写真付き地図を編集する編集手段と、前記編集の結果に応じて前記画像ファイルの前記画像データ及び前記付帯情報を更新する更新手段と、を備える。
【０００８】
本発明の撮像装置は、被写界を撮像して前記撮影画像を取得する撮像手段と、本発明の何れかの情報処理装置とを備える。
【０００９】
本発明の情報処理プログラムは、撮影画像を貼付写真として地図上へ貼付する貼付手順と、貼付後の前記地図である写真付き地図の画像データを１枚の画像の画像ファイルとして記憶媒体へ保存する保存手順と、前記写真付き地図の編集に必要な情報を付帯情報として前記画像ファイルへ付加する制御手順と、をコンピュータに実行させる。
【００１０】
本発明の情報処理方法は、撮影画像を貼付写真として地図上へ貼付する貼付手順と、貼付後の前記地図である写真付き地図の画像データを１枚の画像の画像ファイルとして記憶媒体へ保存する保存手順と、前記写真付き地図の編集に必要な情報を付帯情報として前記画像ファイルへ付加する制御手順とを含む。
【発明の効果】
【００１１】
本発明によれば、写真付き地図の汎用性を高めることのできる情報処理装置、撮像装置、情報処理プログラム、情報処理方法が実現する。
【図面の簡単な説明】
【００１２】
【図１】撮像装置の構成図である。
【図２】再生モードにおけるＣＰＵ１１の動作を簡略化して示したフローチャートである。
【図３】地図作成モードにおけるＣＰＵ１１の動作を簡略化して示したフローチャートである。
【図４】地図編集モードにおけるＣＰＵ１１の動作を簡略化して示したフローチャートである。
【図５】自動更新モードにおけるＣＰＵ１１の動作を簡略化して示したフローチャートである。
【図６】写真付き地図の例である。
【図７】写真付き地図の別の例である。
【図８】写真付き地図の別の例である。
【図９】写真付き地図の別の例である。
【図１０】地図作成モードを利用して作成されたアルバムの例である。
【図１１】ファイル形式を説明する図である。
【図１２】キーワードをユーザに選択させるための画面である。
【発明を実施するための形態】
【００１３】
［撮像装置の構成］
以下、地図表示機能を搭載した撮像装置の構成を説明する。
【００１４】
図１は、撮像装置の構成図である。図１に示すとおり撮像装置は、撮影レンズ１、撮像素子２、画像処理回路３、ＣＰＵ１１、ＲＯＭ１２、ＲＡＭ１３、フレームバッファ１４、表示制御回路１５、表示器１６、タッチパネル１７、入出力ポート（Ｉ／Ｏ）１８、操作部材１９、記録インタフェース（Ｉ／Ｆ）２０、ＧＰＳモジュール２２、Ｗｉ−Ｆｉモジュール２３等を備えると共に、記録インタフェース（Ｉ／Ｆ）２０を介して記憶媒体２１に接続されている。
【００１５】
ＣＰＵ１１は、撮像装置の制御機能及び演算機能を担う中央処理装置である。
【００１６】
ＲＯＭ１２は、ＣＰＵ１１の動作プログラムや広域地図を格納したフラッシュメモリなどの不揮発性メモリである。なお、この広域地図は、記憶媒体２１上の地図データベース（後述）が未構築である場合に使用される。容量の制限もあるので、ＲＯＭ１２に格納される広域地図は、データ量の少ない簡易的な地図であって構わない。
【００１７】
ＲＡＭ１３は、ＣＰＵ１１の動作中に必要な情報（動作プログラム、パラメータ、画像など）を一時的に蓄積する揮発性メモリである。
【００１８】
撮影レンズ１は、被写界の像を結像する光学系である。
【００１９】
撮像素子２は、撮影レンズ１の結像した像を撮像して撮影画像を生成する。
【００２０】
画像処理回路３は、ＣＰＵ１１から指定された画像に対して所定の画像処理を施す。この画像処理の中には、画像に対する所定の画像処理（ホワイトバランス調整、デベイヤ処理、階調補正、色補正、画像強調など）、画像に対するＪＰＥＧ方式の圧縮処理、ＪＰＥＧ形式の画像ファイルに対するＪＰＥＧ方式の伸張処理が含まれる。
【００２１】
フレームバッファ１４は、表示器１６へ表示すべき画像をＣＰＵ１１の管理下で保持する。表示器１６へ表示すべき画像には、撮像素子２が生成した撮影画像、画像処理回路３が再生した画像、各種のＧＵＩ画像などがある。
【００２２】
表示制御回路１５は、フレームバッファ１４上の画像を、適切な形式で表示器１６へ繰り返し送出する。
【００２３】
表示器１６は、表示制御回路１５を介してフレームバッファ１４から送出される画像を順次に表示する。
【００２４】
タッチパネル１７は、表示器１６の画面上に設けられた透明なタッチパネル式センサである。ユーザは、タッチパネル１７上で各種の操作（タップ、ダブルタップ、ドラッグなど）を行い、各種の情報を撮像装置へ入力する。
【００２５】
操作部材１９は、電源釦、終了釦、戻る釦、切替釦、などの機能が割り当てられたスイッチである。ユーザは、操作部材１９を操作することにより、撮像装置の各部に対する電力供給の開始・停止の指示や、モード移行指示などを撮像装置へ入力することができる。なお、撮像装置のモードには、撮影モード、再生モードなどがある。
【００２６】
入出力ポート（Ｉ／Ｏ）１８は、入力器（操作部材１９及びタッチパネル１７）が生成する信号をＣＰＵ１１が認識可能な信号へと変換する回路である。
【００２７】
記録インタフェース（Ｉ／Ｆ）２０は、ＣＰＵ１１が記憶媒体２１へアクセスする際のインタフェースをとる回路である。
【００２８】
ＧＰＳモジュール２２は、ＧＰＳ衛星からの信号を受信して撮像装置の位置座標データ（緯度、経度、高度）を生成する。以下、この位置座標データを「ＧＰＳデータ」と称す。
【００２９】
Ｗｉ−Ｆｉモジュール２３は、近くのアクセスポイントと無線通信を行い、そのアクセスポイントを介してインターネットなどのネットワークへ撮像装置を接続する。
【００３０】
但し、撮像装置の近くに適当なアクセスポイントが存在しないときには、撮像装置はネットワークに対して接続されない。よって、例えば、アクセスポイントの散在したエリア（街中など）で撮影が行われる場合には、撮像装置がネットワークに接続される機会は頻繁となるが、アクセスポイントの存在しないエリア（山中など）で撮影が行われる場合は、撮像装置がネットワークに接続される機会は殆ど無い。
【００３１】
記憶媒体２１は、撮像装置に対して挿脱可能なカードメモリなどである。記憶媒体２１は、記録インタフェース２０を介してＣＰＵ１１から与えられたデータを格納する。
【００３２】
ここで、記憶媒体２１に格納されるデータの中には、ＪＰＥＧ形式の画像ファイルと、地図データベースとがある。この地図データベースには、ネットワーク上の地図サーバからダウンロードされた詳細地図が逐次に保管される。
【００３３】
［撮影モード］
以下、撮影モードにおけるＣＰＵ１１の動作を説明する。撮影モードにおけるＣＰＵ１１は、以下のステップＳ１〜Ｓ５を順に実行する。
【００３４】
ステップＳ１：ＣＰＵ１１は、ユーザからの設定指示に応じて撮像装置の撮像条件（シャッタスピード、絞り値、ＩＳＯ感度、ホワイトバランス調整値など）を設定すると、ユーザからの撮影指示に応じて撮影レンズ１及び撮像素子２を駆動し、撮影画像を取得する。
【００３５】
ステップＳ２：ＣＰＵ１１は、取得した撮影画像へ所定の画像処理を施すよう画像処理回路３へ指示を与える。画像処理回路３は、その撮影画像に対して所定の画像処理（ホワイトバランス調整、デベイヤ処理、階調補正、色補正、画像強調など）を施す。
【００３６】
ステップＳ３：ＣＰＵ１１は、画像処理後の撮影画像をフレームバッファ１４へ与えることにより、表示器１６に対する撮影画像の表示を一定期間に亘って行う。これによって、撮影画像のアフタービュー表示が行われる。
【００３７】
ステップＳ４：ＣＰＵ１１は、画像処理後の撮影画像に対して圧縮処理を施すよう画像処理回路３へ指示を与える。画像処理回路３は、その撮影画像に対してＪＰＥＧ形式の圧縮処理を施し、画像ファイルを作成する。
【００３８】
ステップＳ５：ＣＰＵ１１は、作成された画像ファイルのヘッダ部分（Ｅｘｉｆデータ）へ、撮影画像の撮影日時、撮影条件、撮影場所（ＧＰＳデータ）、撮影画像のサムネイルなどを書き込んでから、その画像ファイルを記憶媒体２１へ書き込む。なお、撮影画像の画像ファイルのファイル名には、その画像ファイルの画像が撮影画像であることを示す識別子（例えば「ＤＳＣ」）が付加される。これによって、撮影画像の保存が完了する。なお、撮影画像のサムネイルは、撮影画像のサイズ縮小版のことである。
【００３９】
［再生モード］
以下、再生モードにおけるＣＰＵ１１の動作を詳しく説明する。
【００４０】
図２は、再生モードにおけるＣＰＵ１１の動作を簡略化して示したフローチャートである。以下、各ステップを順に説明する。なお、フローの開示時点では、記憶媒体２１には、過去に撮影された撮影画像の画像ファイルと、過去に作成された写真付き地図（後述）の画像ファイルとが、複数ずつ格納されているものと仮定する。
【００４１】
ステップＳ１１：ＣＰＵ１１は、記憶媒体２１に格納された複数の画像ファイルの各々のヘッダ部分（Ｅｘｉｆデータ）を参照し、それら画像ファイルの各々のサムネイルを表示器１６上に並べて表示する。よって、表示器１６上には、撮影画像のサムネイルと、写真付き地図のサムネイルとが並べて表示される。
【００４２】
この表示器１６上でユーザが任意のサムネイルを選択すると、ＣＰＵ１１は、そのサムネイルに対応する画像ファイルに対して伸張処理を施すよう画像処理回路３へ指示を与える。画像処理回路３が画像ファイルに対して伸張処理を施し、その画像ファイルに含まれる画像（撮影画像又は写真付き地図）を再生すると、ＣＰＵ１１は、再生された画像（撮影画像又は写真付き地図）を表示器１６へ表示する。これによって、画像が再生表示される。
【００４３】
ここでは、撮影画像の再生表示中に、地図作成モードへの移行指示をユーザが撮像装置へ入力できるものと仮定する。
【００４４】
また、写真付き地図の再生表示中に、地図編集モードへの移行指示をユーザが撮像装置へ入力できるものと仮定する。
【００４５】
ステップＳ１２：ＣＰＵ１１は、地図作成モードへの移行指示が入力されたか否かを判別し、入力された場合にはステップＳ１３へ移行し、入力されなかった場合にはステップＳ１４へ移行する。
【００４６】
ステップＳ１３：ＣＰＵ１１は、地図作成モードの処理（後述）を実行することにより、写真付き地図の画像ファイルを作成し、記憶媒体２１へ格納する。
【００４７】
ステップＳ１４：ＣＰＵ１１は、地図編集モードへの移行指示が入力されたか否かを判別し、入力された場合にはステップＳ１５へ移行し、入力されなかった場合にはステップＳ１６へ移行する。
【００４８】
ステップＳ１５：ＣＰＵ１１は、地図編集モードの処理（後述）を実行することにより、写真付き地図の画像ファイルを更新する。
【００４９】
ステップＳ１６：ＣＰＵ１１は、記憶媒体２１に格納された写真付き地図の中に、簡易地図（後述）を背景とした写真付き地図があるか否かを判別し、あった場合にはステップＳ１７へ移行し、なかった場合にはステップＳ１８へ移行する。
【００５０】
ステップＳ１７：ＣＰＵ１１は、自動更新モードの処理（後述）を実行することにより、写真付き地図の背景を、詳細地図（後述）へと置換する。
【００５１】
ステップＳ１８：ＣＰＵ１１は、再生モードの終了指示（又は他モードへの移行指示）が入力されたか否かを判別し、入力された場合には再生モードのフローを終了し、入力されなかった場合はステップＳ１２へ戻る。
【００５２】
［地図作成モード］
以下、地図作成モードにおけるＣＰＵ１１の動作を詳しく説明する。
【００５３】
図３は、地図作成モードにおけるＣＰＵ１１の動作を簡略化して示したフローチャートである。以下、各ステップを順に説明する。
【００５４】
ステップＳ１３１：ＣＰＵ１１は、再生表示中の撮影画像の撮影日を参照すると、その撮影画像と同日に撮影された１又は複数枚の撮影画像を記憶媒体２１から探索し、探索された１又は複数枚の撮影画像のサムネイルを、写真付き地図へ貼付すべき写真（貼付写真）に決定し、それら貼付写真の各々の撮影場所に関連するキーワードを、ネットワーク上の地図サーバから取り込む。以下、貼付写真に決定された撮影画像の枚数が複数であったと仮定する。
【００５５】
ステップＳ１３２：ＣＰＵ１１は、複数の貼付写真の各々の撮影場所を参照すると、それら撮影場所の全部をカバーするエリアを計算し、そのエリアの詳細地図をネットワーク上の地図サーバから取り込み、その詳細地図を写真付き地図の背景地図に決定する。また、ＣＰＵ１１は、そのエリアに関連するキーワードを、背景地図に関連するキーワードとして、ネットワーク上の地図サーバから取り込む。例えば、背景地図のエリアが、日本の広島から岩国の辺りのエリアであった場合、「広島」、「原爆ドーム」、「カープ」、「お好み焼き」、「もみじ饅頭」、「厳島神社」、…など、そのエリアに固有のキーワードが取り込まれる。
【００５６】
なお、本ステップにおけるＣＰＵ１１は、地図サーバから取り込んだ詳細地図及びキーワードを、記憶媒体２１上の地図データベースに保管する。既に同じ詳細地図が地図データベースに保管済みであった場合は、その詳細地図がこのタイミングで更新される。
【００５７】
また、本ステップの実行時に撮像装置がネットワークへ接続されていなかった場合、ＣＰＵ１１は、記憶媒体２１上の地図データベースから必要な情報（詳細地図及びキーワード）を取り込めばよい。また、地図データベースにその必要な情報（詳細地図及びキーワード）が保管されていなかった場合、ＣＰＵ１１は、ＲＯＭ１２上の広域地図の対応する部分を拡大することで同じエリアの簡易地図を作成し、その簡易地図を詳細地図の代わりに背景地図として使用する。
【００５８】
ステップＳ１３３：ＣＰＵ１１は、表示器１６上に背景地図（詳細地図又は簡易地図）を表示すると共に、複数の貼付写真の各々を、背景地図（詳細地図又は簡易地図）上の対応する座標（貼付写真の撮影場所）へ重畳して表示する。
【００５９】
これによって、例えば図６に示すような写真付き地図が表示器１６上に表示される。図６は、日本の広島から岩国の辺りの詳細地図を背景とし、広島市内、厳島神社、錦帯橋などで撮影された複数枚の撮影画像を貼付写真とした場合の写真付き地図の例である。
【００６０】
なお、複数枚の貼付写真の各々の貼付先は、貼付写真の撮影場所に完全一致していてもよいが、背景地図（詳細地図又は簡易地図）上の主要文字や主要マークが貼付写真によって隠れないよう、複数枚の貼付写真のレイアウトが自動調整されることが望ましい。
【００６１】
また、これら貼付写真の各々の貼付サイズは、貼付写真の枚数に応じて自動調整されることが望ましく、具体的には、貼付写真の枚数が多いときほど貼付写真の貼付サイズが小さく設定されることが望ましい。更には、貼付写真の各々の貼付サイズは、貼付写真の枚数と、背景地図の倍率との組み合わせに応じて自動調整されることが望ましい。
【００６２】
また、複数枚の貼付写真の中に、撮影場所の共通するものが２以上存在した場合は、それら２以上の貼付写真の貼付エリアは、互いに重複しないように並べられることが望ましい。
【００６３】
また、表示器１６上には、写真付き地図と共に保存釦及び編集釦が配置されており、ユーザは、これらの釦の何れか１つを指先で選択することができる。
【００６４】
ステップＳ１３４：ＣＰＵ１１は、表示器１６上の編集釦が選択されたか否かを判別し、選択された場合にはステップＳ１３５へ移行し、選択されなかった場合はステップＳ１３６へ移行する。
【００６５】
ステップＳ１３５：ＣＰＵ１１は、表示中の写真付き地図がユーザの指先で操作された場合は、その操作内容に応じて、写真付き地図の表示内容を変更する。よって、ユーザは表示器１６上を指先でタッチ操作するだけで写真付き地図を編集することができる。なお、撮像装置がタッチパネル１７を装備していない場合は、操作部材１９（十字キーやＯＫ釦）の操作より編集が行われる。この操作方法には周知の地図アプリケーションで実現されている何れかの操作方法を採用することができる。本ステップにおいてユーザが編集することのできる項目は、例えば以下の項目（１）〜（６）である。
【００６６】
（１）背景地図のエリア変更：
背景地図のエリア変更指示がユーザから入力されると、ＣＰＵ１１は、変更後のエリアの詳細地図及びキーワードをネットワーク上の地図サーバから改めて取り込み、取り込んだ詳細地図を背景地図として表示中の背景地図の代わりに表示し、貼付写真の決定（Ｓ１３１）及びレイアウト処理（ステップ１３３）を再実行する。なお、撮像装置がネットワークへ接続されていなかった場合、ＣＰＵ１１は、ネットワーク上の地図サーバの代わりに記憶媒体２１上の地図データベース又はＲＯＭ１２上の広域地図を利用する。
【００６７】
図７は、編集後の写真付き地図の例である。図７を図６と比較すると、背景地図のエリアが縮小されているのがわかる。つまり、背景地図としての詳細地図は倍率の高いものへと変更されているのがわかる。また、詳細地図の倍率が変更されたため、貼付写真の枚数及びレイアウトも変更されているのがわかる。
【００６８】
図８は、編集後の写真付き地図の別の例である。図８を図７と比較すると、背景地図が不鮮明であることがわかる。これは、編集時に撮像装置がネットワークに接続できなかったために、背景地図として簡易地図が使用されたことを示している。しかし、本実施形態の撮像装置は、ネットワークに接続された時点で簡易地図を詳細地図に置換するので、問題は無い。
【００６９】
図９は、編集後の写真付き地図の別の例である。図９を図８と比較すると、背景地図のエリアが更に縮小されているのがわかる。つまり、背景地図としての詳細地図は倍率の高いものへと変更されているのがわかる。また、図９に示す写真付き地図は、背景地図としての詳細地図の倍率が高いため、複数枚の貼付写真の各々の貼付先が近接している。このため、図９に示す写真付き地図では、複数枚の貼付写真の各々の撮影場所にポインタ（点状マーク）が付与されており、ポインタから離れた位置にそれらの貼付写真が配置されている。そして、貼付写真と対応するポインタとの間は、引き出し線によって結ばれている。このような引き出し線を利用すれば、個々の貼付写真の撮影場所を正しく表示することができる。なお、引き出し線を利用した場合、点状マークの位置は、貼付写真の撮影場所に完全一致していることが望ましいので、この点状マークの位置をユーザが表示器１６上で調節した場合は、その点状マークに対応する貼付写真のＧＰＳデータも自動的に更新されることが望ましい。
【００７０】
（２）貼付写真の削除：
写真付き地図上の特定の撮影画像に関する削除指示がユーザから入力されると、ＣＰＵ１１は、その撮影画像を非貼付写真とみなして貼付写真のレイアウト処理（ステップＳ１３３）を再実行する。例えば、撮影場所が共通であって内容の類似した貼付写真が写真付き地図上に複数枚貼付されていた場合、ユーザは、その中の１枚の貼付写真のみを残して他の貼付写真を写真付き地図から剥がすことができる。
【００７１】
（３）貼付先の変更：
写真付き地図上の特定の貼付写真に関する貼付先の変更指示がユーザから入力されると、ＣＰＵ１１は、その指示に応じて表示器１６上の貼付写真の貼付先を変更する。
【００７２】
（４）貼付サイズの変更：
写真付き地図上の特定の貼付写真に関する貼付サイズの変更指示がユーザから入力されると、ＣＰＵ１１は、その指示に応じて表示器１６上の貼付写真の貼付サイズを変更する。
【００７３】
（５）貼付写真の追加：
特定の撮影画像を貼付写真として写真付き地図へ追加貼付する指示がユーザから入力されると、ＣＰＵ１１は、表示中の写真付き地図上でユーザが指定した座標へその撮影画像を重畳表示させる。例えば、写真付き地図上に既に貼付されている貼付写真とは撮影日が異なるものの、その貼付写真に関連した撮影画像が記憶媒体２１に存在していた場合、ユーザは、その撮影画像を貼付写真の１つに追加することができる。
【００７４】
（６）背景地図の置換：
現在の背景地図を別の画像に置換する指示がユーザから入力されると、ＣＰＵ１１は、その指示に従って、表示中の背景地図を別の画像へと置換する。例えば、ユーザは、図１０に示すとおり、詳細地図又は簡易地図の代わりに任意の画像（ガイドブックの写真、別のエリアで撮影した画像、イラストなど）を背景地図とすることもできる。このように、地図以外の画像を背景地図すれば、写真付き地図として任意のアルバムを作成することができる（以上、ステップＳ１３５）。
【００７５】
ステップＳ１３６：ＣＰＵ１１は、表示器１６上の保存釦が選択されたか否かを判別し、選択された場合はステップＳ１３７へ移行し、選択されなかった場合はステップＳ１３４へ移行する。
【００７６】
ステップＳ１３７：ＣＰＵ１１は、表示中の写真付き地図を１枚の画像（すなわち貼付写真の埋め込まれた１枚の地図画像）として圧縮処理を施すよう画像処理回路３へ指示を与える。画像処理回路３は、表示中の写真付き地図へＪＰＥＧ形式の圧縮処理を施し、画像ファイルを作成する。ＣＰＵ１１は、作成された画像ファイルのヘッダ部分（ＡＰＰ３）へ写真付き地図の付帯情報（下記）及び写真付き地図のサムネイルを書き込んでから、その画像ファイルを記憶媒体２１へ書き込む。なお、写真付き地図の画像ファイルのファイル名には、その画像ファイルの画像が写真付き地図であることを示す識別子（例えば「ＭＡＰ」）が付加される。これによって、写真付き地図の保存が完了し、図２のフローへ復帰する。
【００７７】
このように写真付き地図をＪＰＥＧ形式の画像ファイルとして保存しておけば、本実施形態の撮像装置だけでなく他のＪＰＥＧ機器においても写真付き地図を再生することが可能である。
【００７８】
ここで、写真付き地図の画像ファイルの形式は、撮影画像の画像ファイルと同じくＪＰＥＧ形式とされるが、写真付き地図の画像ファイルには、写真付き地図を編集するのに必要な情報が付帯情報として書き込まれる。付帯情報の書き込み先は、画像ファイルのヘッダ部分である。
【００７９】
図１１は、写真付き地図の画像ファイルの形式を説明する図である。図１１の上部に示すとおり、画像ファイルのヘッダ部分には「アプリケーションマーカーセグメント３（ＡＰＰ３）」というセグメントが設けられており、そのセグメント（ＡＰＰ３）が付帯情報の書き込み先として使用される。
【００８０】
写真付き地図の付帯情報には、図１１の下部に示すとおり、写真付き地図に貼付された複数枚の貼付写真の各々に付帯するデータ（図１１（１）、（２）、…）と、写真付き地図の背景地図に付帯するデータ（図１１（ｊ））と、背景地図の単体（貼付写真無し）の画像データ（図１１（ｋ））とが含まれる。
【００８１】
図１１（１）、（２）、…の各々に示すとおり、個々の貼付写真の各々に付帯するデータには、貼付写真の画像ファイル名（貼付写真のオリジナル画像ファイル名）、貼付写真の撮影日時、貼付写真の撮影場所（ＧＰＳデータ）、写真付き地図における貼付写真の左上端の座標、写真付き地図における貼付写真のＸ方向サイズ、写真付き地図における貼付写真のＹ方向サイズ、貼付写真に関連するキーワードなどが含まれる。
【００８２】
図１１（ｊ）に示すとおり、背景地図に付帯するデータには、背景地図（詳細地図又は簡易地図）の北西端の緯度、北西端の経度、緯度方向の幅（距離）、経度方向の幅（距離）、背景地図のＸ方向の画像サイズ、背景地図のＹ方向の画像サイズ、背景地図に関連するキーワードなどが含まれる。また、図１１（ｊ）には示していないが、背景地図に付帯するデータには、背景地図が詳細地図と簡易地図との何れであるかを示す識別データも含まれる。
【００８３】
図１１（ｋ）に示すとおり、背景地図（詳細地図又は簡易地図）の画像データは、背景地図を例えば周知のＰＮＧ形式で圧縮したものである。因みに、ＰＮＧ形式は、高い圧縮率で地図画像を圧縮することができるので、背景地図の画像データの情報量を抑えるのに適している。
【００８４】
但し、背景地図の画像データの情報量が多く、「アプリケーションセグメント３（ＡＰＰ３）」に収まりきらない場合は、背景地図の画像データの書き込み先を、図１１の上部に示すとおり、「ヘッダ部分の続き」、すなわち、写真付き地図の画像圧縮データのエンドマーカ（ＥＯＩ）の後とすればよい。
【００８５】
或いは、背景地図の画像データの情報量が著しく多い場合や、付帯情報の情報量を確実に抑えたい場合などには、写真付き地図の付帯情報として背景地図の全域の画像データを書き込む代わりに、背景地図のうち貼付写真の下層に位置するエリアの画像データのみを書き込むこととしてもよい。なぜなら、背景地図のうち前記エリア以外のエリアの画像データは、写真付き地図の画像データの中に既に含まれている。
【００８６】
以上のような形式で画像ファイルを作成しておけば、写真付き地図の背景地図と貼付写真とを後のタイミングで別々に編集することが可能となる（以上、地図作成モード）。
【００８７】
［地図編集モード］
以下、地図編集モードにおけるＣＰＵ１１の動作を詳しく説明する。
【００８８】
図４は、地図編集モードにおけるＣＰＵ１１の動作を簡略化して示したフローチャートである。以下、各ステップを順に説明する。
【００８９】
ステップＳ１５１：ＣＰＵ１１は、地図編集モードへの移行指示に応じて、再生表示中の写真付き地図の画像ファイルを参照すると、その写真付き地図の背景地図の単体を復元し、その背景地図を表示器１６上に表示する。また、ＣＰＵ１１は、その写真付き地図に貼付されている複数の貼付写真の各々を復元し、復元した貼付写真の各々を、表示器１６上の背景地図の対応する座標（貼付写真の撮影場所）へ重畳表示する。これによって表示器１６上には、写真付き地図が編集可能な状態で表示される。なお、表示器１６上には、この写真付き地図と共に更新釦が配置されており、ユーザは、適当なタイミングで更新釦を選択することができる。
【００９０】
なお、本ステップのＣＰＵ１１は、貼付写真を、写真付き地図の画像ファイルのみに基づき復元してもよいが、貼付写真のオリジナル画像ファイルが記憶媒体２１上に存在している場合は、その画像ファイルに付加されたサムネイルを、貼付写真として使用してもよい。
【００９１】
ステップＳ１５２：ＣＰＵ１１は、表示中の写真付き地図がユーザの指先で操作された場合は、その操作内容に応じて、写真付き地図の表示内容を変更する。本ステップにおけるＣＰＵ１１の動作は、前述したステップＳ１３５におけるＣＰＵ１１の動作と同じである。但し、本ステップにおいてユーザが編集することのできる項目は、上述した項目（１）〜（６）の他に、以下の項目（７）がある。
【００９２】
（７）貼付写真の自動追加：
貼付写真の自動追加指示がユーザから入力されると、ＣＰＵ１１は、写真付き地図の背景地図（詳細地図又は簡易地図）のエリアを認識し、そのエリアと同じエリア内で撮影された１又は複数枚の撮影画像を記憶媒体２１から探索し、探索された１又は複数枚の撮影画像のサムネイルを貼付写真として写真付き地図上の対応する座標へ重畳表示させ、さらに、貼付写真のレイアウト処理を実行する（レイアウト処理はステップＳ１３３を参照。）。また、ＣＰＵ１１は、その貼付写真の撮影場所（ＧＰＳデータ）に関連するキーワードを、ネットワーク上の地図サーバから取り込む。
【００９３】
ステップＳ１５３：ＣＰＵ１１は、表示器１６上の更新釦が選択されたか否かを判別し、選択された場合はステップＳ１５４へ移行し、選択されなかった場合は、ステップＳ１５２へ移行する。
【００９４】
ステップＳ１５４：ＣＰＵ１１は、表示中の写真付き地図（貼付写真の重畳された地図）の画像ファイルを作成し、その画像ファイルのヘッダ部分（ＡＰＰ３）へ付帯情報を書き込むことにより、編集後の画像ファイルを取得すると、編集後の画像ファイルを、編集前の画像ファイルの代わりに、記憶媒体２１へ書き込む。これによって、写真付き地図の更新（写真付き地図の編集）が完了し、図２のフローへ復帰する。なお、本ステップで作成される画像ファイルの形式は、上記ステップＳ１３７で作成される画像ファイルの形式と同じである（以上、地図編集モード）。
【００９５】
［自動更新モード］
以下、自動更新モードにおけるＣＰＵ１１の動作を詳しく説明する。
【００９６】
図５は、自動更新モードにおけるＣＰＵ１１の動作を簡略化して示したフローチャートである。以下、各ステップを順に説明する。なお、ここでは簡単のため、記憶媒体２１に格納された、簡易地図を背景とした写真付き地図の枚数を、１と仮定する。
【００９７】
ステップＳ１７１：ＣＰＵ１１は、撮像装置がネットワークへ接続されているか否かを判別し、接続されていればステップＳ１７２へ移行し、接続されていなければ図２のフローへ復帰する。
【００９８】
ステップＳ１７２：ＣＰＵ１１は、簡易地図を背景とした写真付き地図の画像ファイルを記憶媒体２１から読み込み、その写真付き地図の背景のエリア（北西端の緯度、北西端の経度、緯度方向の距離、経度方向の距離）を認識すると、そのエリアの詳細地図をネットワーク上の地図サーバから取り込み、取り込んだ詳細地図を、背景地図として表示器１６上に表示する。また、ＣＰＵ１１は、その写真付き地図に貼付されていた複数の貼付写真の各々を復元し、復元した貼付写真の各々を、表示器１６上の背景地図の対応する座標（貼付写真の撮影場所）へ重畳表示する。これによって表示器１６上には、詳細地図を背景とした写真付き地図が表示される。
【００９９】
なお、本ステップのＣＰＵ１１は、貼付写真を、写真付き地図の画像ファイルのみに基づき復元してもよいが、貼付写真のオリジナル画像ファイルが記憶媒体２１上に存在している場合は、その画像ファイルに付加されたサムネイルを貼付写真として使用してもよい。
【０１００】
また、本ステップにおいて地図サーバから取り込んだ詳細地図は、記憶媒体２１上の地図データベースにも保管される。
【０１０１】
ステップＳ１７３：ＣＰＵ１１は、表示中の写真付き地図（詳細地図を背景とした写真付き地図）の画像ファイルを作成し、その画像ファイルのヘッダ部分（ＡＰＰ）へ付帯情報を書き込むことにより、詳細地図を背景とした写真付き地図の画像ファイルを取得すると、その画像ファイルを、簡易地図を背景とした写真付き地図の画像ファイルの代わりに、記憶媒体２１へ書き込む。これによって、写真付き地図の更新（簡易地図から詳細地図への置換）が完了し、図２のフローへ復帰する。なお、本ステップで作成される画像ファイルの形式は、上記ステップＳ１３７で作成される画像ファイルの形式と同じである（以上、自動更新モード）。
【０１０２】
［実施形態の効果］
以上、本実施形態の撮像装置は、撮影画像を貼付写真として地図上へ貼付し、貼付後の前記地図である写真付き地図の画像データを１枚の画像の画像ファイルとして記憶媒体へ保存し、前記写真付き地図の編集に必要な情報を付帯情報として前記画像ファイルへ付加する。
【０１０３】
すなわち、本実施形態の撮像装置は、写真付き地図を１枚の画像の画像ファイルとして編集可能な状態で保存する。よって、画像ファイルの保存後、ユーザに写真付き地図を編集させることができる。なお、写真付き地図の編集とは、例えば、背景地図のエリア変更、貼付写真の削除、貼付先の変更、貼付サイズの変更、貼付写真の追加、背景地図の置換、などである。
【０１０４】
しかも、本実施形態の撮像装置によると、写真付き地図が一般の撮影画像と同じファイル形式（ＪＰＥＧ方式）で保存されるので、本実施形態の撮像装置で作成された画像ファイルを一般のＪＰＥＧ機器へ転送すれば、一般のＪＰＥＧ機器が編集はできないものの、写真付き地図を再生することは可能である。
【０１０５】
さらに、本実施形態の撮像装置を２台用意したならば、例えば次のようなことが可能となる。すなわち、２台の撮像装置の一方のユーザと他方のユーザとが一緒に旅行し、一方のユーザの撮像装置で作成された写真付き地図の画像ファイルを、他方のユーザの撮像装置へ転送すれば、他方のユーザはその写真付き地図へ自分で撮影した撮影画像を追加貼付したり、その写真付き地図から不要な貼付写真を削除したりして、自分好みの写真付き地図を簡単に作成することができる。
【０１０６】
以上の結果、本実施形態の撮像装置によれば、写真付き地図の汎用性が高まる。
【０１０７】
なお、前記付帯情報には、貼付前の前記地図である背景地図のうち、少なくとも前記貼付写真の貼付先に対応するエリアの画像データが含まれる。よって、前記写真付き地図の編集では、前記写真付き地図における前記貼付写真の貼付先を変更することが可能である。
【０１０８】
また、前記付帯情報には、前記背景地図の全域の画像データが含まれる。よって、前記写真付き地図の編集時には、前記背景地図の復元を簡単に行うことができる。
【０１０９】
また、前記付帯情報には、前記写真付き地図における前記貼付写真の貼付先座標の情報が含まれる。よって、前記付帯情報の１つとして前記貼付写真の画像データを前記画像ファイルに書き込む必要は無い。よって、前記付帯情報の情報量を抑えることができる。
【０１１０】
また、前記付帯情報には、前記貼付写真のオリジナルファイル名情報が含まれる。よって、前記写真付き地図の編集時には、前記貼付写真の復元を簡単に行うことができる。また、前記写真付き地図の編集時に、前記貼付写真のオリジナルファイルさえ用意すれば、前記貼付写真の内容を変更することも可能である。
【０１１１】
また、前記付帯情報には、前記貼付写真の撮影日時情報が含まれる。したがって、前記貼付写真の撮影日時に応じて前記写真付き地図の編集を行うことも可能である。例えば、前記貼付写真と撮影日が共通する別の撮影画像を貼付写真の１つに自動追加することも可能である。
【０１１２】
また、本実施形態の撮像装置は、前記写真付き地図における前記貼付写真の貼付先を、前記貼付写真の撮影場所に応じて自動調整する。したがって、ユーザの手間を省くことができる。また仮に、前記自動調整の結果がユーザ好みでなかったとしても、前記貼付写真の貼付先を前記編集時に手動調整することが可能であるので問題無い。
【０１１３】
また、本実施形態の撮像装置は、前記写真付き地図における前記貼付写真の貼付サイズを、前記写真付き地図に貼付すべき前記貼付写真の枚数に応じて自動調整する。したがって、ユーザの手間を省くことができる。また仮に、前記自動調整の結果がユーザ好みでなかったとしても、前記貼付写真の貼付サイズを前記編集時に手動調整することが可能であるので問題無い。
【０１１４】
また、本実施形態の撮像装置は、その撮像装置をネットワークへ接続する手段を備え、貼付前の前記地図である背景地図を前記ネットワークから取り込む。したがって、撮像装置は、情報量の多い詳細地図を予め保持している必要が無い。
【０１１５】
また、本実施形態の撮像装置は、前記背景地図のエリアを包含した広域地図を記憶する記憶手段を備え、前記情報処理装置がネットワークへ接続できない期間には、前記ネットワークから取り込んだ詳細地図の代わりに、前記広域地図から作成された簡易地図を、前記背景地図として使用する。したがって、本実施形態の撮像装置の使用エリアがアクセスポイントの存在しないエリアとアクセスポイントの散在したエリアとの何れであったとしても、写真付き地図を作成することができる。
【０１１６】
また、本実施形態の撮像装置は、前記撮像装置をネットワークへ接続する手段を備え、前記ネットワークから前記貼付写真の撮影場所に関連するキーワードを取り込み、そのキーワードを前記付帯情報の１つとして前記画像ファイルへ付加する。したがって、前記画像ファイルのファイル数が膨大である場合にも、それら画像ファイルの管理が容易である。
【０１１７】
また、本実施形態の撮像装置は、本実施形態の撮像装置が保存した前記画像ファイルを前記記憶媒体から読み込み、前記画像ファイルの前記画像データ及び前記付帯情報に基づき、前記写真付き地図を編集し、前記編集の結果に応じて前記画像ファイルの前記画像データ及び前記付帯情報を更新する。例えば、本実施形態の撮像装置は、前記写真付き地図における前記貼付写真の貼付先を変更したり、前記写真付き地図の背景である背景地図を変更したり、前記写真付き地図に対して撮影画像を追加貼付したり、前記写真付き地図上の貼付写真と撮影日時の近い撮影画像を、前記写真付き地図へ追加貼付したり、前記写真付き地図の背景である背景地図のエリアと同じエリアで撮影された撮影写真を、前記写真付き地図へ追加貼付したりする。したがって、本実施形態の撮像装置は、前記写真付き地図の画像ファイルを有効に利用することができる。
【０１１８】
また、本実施形態の撮像装置は、前記画像ファイルを前記記憶媒体から読み込み、前記画像ファイルの前記画像データ及び前記付帯情報に基づき、前記写真付き地図を編集し、前記編集の結果に応じて前記画像ファイルの前記画像データ及び前記付帯情報を更新する手段と、前記情報処理装置をネットワークへ接続する接続手段とを備え、前記写真付き地図の背景である背景地図が前記簡易地図であった場合には、その簡易地図を、前記ネットワークから取り込んだ詳細地図へと置換する。したがって、本実施形態の撮像装置は、ネットワークに対する接続状況の変化に対応できる。
【０１１９】
［実施形態の補足］
なお、上述した実施形態のステップＳ１３１、Ｓ１３２では、貼付写真を決定した後に、それらの撮影場所に基づき背景地図のエリアを自動的に決定したが、背景地図のエリアを決定した後に、そのエリアに基づき貼付写真を自動的に決定してもよい。
【０１２０】
また、上述した実施形態では、貼付写真、背景地図（詳細地図）に関して地図サーバから取り込まれたキーワードの全部を写真付き地図の画像ファイルへ書き込んだが、画像ファイルへ書き込むべきキーワードについては、画像ファイルの作成時にユーザが取捨選択してもよい。図１２に示すのは、キーワードをユーザに選択させるための表示画面例である。
【０１２１】
また、上述した実施形態では、撮像装置にＧＰＳ機能が搭載されていることを前提としたが、ＧＰＳ機能が搭載されていない場合は、画像ファイルのヘッダ部分（Ｅｘｉｆデータ）にＧＰＳデータは書き込まれない。また、外部機器から取り込んだ撮影画像の画像ファイルには、ＧＰＳデータが書き込まれていないこともある。
【０１２２】
このような場合、ステップＳ１３２におけるＣＰＵ１１は、背景地図のエリアを自動的に設定する代わりに、ユーザに手動で設定させてもよい。また、ステップＳ１３３におけるＣＰＵ１１は、貼付写真のレイアウトを自動的に決定する代わりに、ユーザに手動で決定させてもよい。また、ステップＳ１５２における編集項目（７）のＣＰＵ１１は、背景地図のエリアと同じエリア内で撮影された撮影画像を記憶媒体から探索する代わりに、写真付き地図の貼付写真と撮影日時の近い撮影画像を記憶媒体から探索してもよい。また、ステップＳ１５２における編集項目（７）のＣＰＵ１１は、貼付写真のレイアウトを自動的に決定する代わりに、ユーザに手動で決定させてもよい。
【０１２３】
また、上述したステップＳ１３１のＣＰＵ１１は、貼付写真の選択を自動で行ったが、ユーザに手動で選択させてもよい。
【０１２４】
また、上述した実施形態では、撮像装置にＧＰＳ機能とネットワーク接続機能との双方が搭載されていることを前提としたが、後者のみが搭載されている場合は、ＧＰＳデータが取得できないので、ネットワークへのアクセスポイントのアドレスに基づき撮像装置が撮影場所を推測してもよい。
【０１２５】
また、上述した実施形態では、撮像装置にネットワーク接続機能が搭載されていることを前提としたが、ネットワーク接続機能が搭載されていない場合は、地図サーバに保管された詳細地図の代わりにＲＯＭ１２上の広域地図を使用し、自動更新モード（ステップＳ１７１〜Ｓ１７３）を省略すればよい。
【０１２６】
また、上述した実施形態の地図編集モード（ステップＳ１５１〜１５４）では、編集に当たり、背景地図と貼付写真との各々を復元したが、この復元を省略し、その時点における写真付き地図を新たな背景地図として編集を行う機能を付加してもよい。但し、その場合は、編集項目（１）〜（７）のうち、編集項目（５）、（７）以外は実行不可能となる。よって、復元を行うか否かについては、ユーザに選択させることが望ましい。
【０１２７】
また、上述した実施形態で使用される地図は、世界地図であっても、国や地域の地図であってもよい。また、用途の限定された地図、例えば、自動車用の地図、自転車用の地図、路線図、高速道路の地図、観光マップ、航空写真、鳥瞰図などであってもよい。
【０１２８】
また、上述した実施形態の撮像装置は、画像ファイルにおける付帯情報の書き込み先を、「アプリケーションマーカーセグメント３（ＡＰＰ３）」としたが、他の領域、例えば、「アプリケーションマーカーセグメント１（ＡＰＰ１）」におけるメーカノート（メーカ拡張用エリア）としてもよい。
【０１２９】
また、上述した実施形態の撮像装置は、無線通信機能を搭載していたが、無線通信の代わりに有線通信機能を搭載してもよいことは言うまでもない。
【０１３０】
また、上述した実施形態では、ＣＵＩを実現する入力器としてタッチパネルセンサを利用したが、デジタイザ、トラックボール、マウス、キーボード、タブレットなどの他の入力器を利用してもよい。
【０１３１】
また、上述した本実施形態の撮像装置では、地図作成モード、地図編集モード、自動更新モードの全部をソフトウエア（地図表示用のアプリケーション）によって実現したが、それらモードの一部又は全部をハードウエアによって実現してもよい。
【０１３２】
また、上述した実施形態では、本発明を撮像装置へ適用した例を説明したが、撮像機能を有しない情報処理装置にも本発明は適用が可能である。例えば、撮像装置の地図作成モード、地図編集モード、自動更新モードの一部又は全部の機能は、カーナビゲーションシステム、ルート検索システムなどに搭載されてもよい。
【符号の説明】
【０１３３】
１…撮影レンズ、２…撮像素子、３…画像処理回路、１１…ＣＰＵ、１２…ＲＯＭ、１３…ＲＡＭ、１４…フレームバッファ、１５…表示制御回路、１６…表示器、１７…タッチパネル、１８…入出力ポート（Ｉ／Ｏ）、１９…操作部材、２０…記録インタフェース（Ｉ／Ｆ）、２２…ＧＰＳモジュール、２３…Ｗｉ−Ｆｉモジュール、２１…記憶媒体
【図１】
2014023098.tif 000003
【図２】
2014023098.tif 000004
【図３】
2014023098.tif 000005
【図４】
2014023098.tif 000006
【図５】
2014023098.tif 000007
【図６】
2014023098.tif 000008
【図７】
2014023098.tif 000009
【図８】
2014023098.tif 000010
【図９】
2014023098.tif 000011
【図１０】
2014023098.tif 000012
【図１１】
2014023098.tif 000013
【図１２】
2014023098.tif 000014